(57)【要約】モバイル通信デバイスは、ワイヤレストランシーバと、前記ワイヤレストランシーバに連結するアンテナと、前記ワイヤレストランシーバに連結する１つ以上のプロセッサと、前記モバイルデバイスに電力を供給するための電源と接続するように適合された電源インターフェースを有する。前記１つ以上のプロセッサは、前記ワイヤレストランシーバを使用しワイヤレス通信ネットワークのクイックページングチャネルを監視し、所定の電源が前記電源インターフェースに接続されているか否かを確認し、所定の電源が電源インターフェースに接続されていることの確認に基づき、前記ワイヤレストランシーバを用いてワイヤレスネットワークに送信されるように前記クイックページングチャネルの使用を終了するための指示を行い、またワイヤレスネットワークに指示を送信後はワイヤレストランシーバを使用したクイックページングチャネルの監視を行わないよう機能する。
2007527136.tif 000002
【特許請求の範囲】
【請求項１】
ワイヤレス通信ネットワークのクイックページングチャネルの使用を終了するための方法であって、
モバイル通信デバイスにおいて該ワイヤレスネットワークのクイックページングチャネルを監視するステップと、
所定の電源が該モバイルデバイスに連結されているか否かを確認するステップと、
該所定の電源が該モバイルデバイスに連結されていることの確認に基づいて該ワイヤレスネットワークに送信されるクイックページングチャネルの使用を終了するための指示を与えるステップと
を含む、方法。
【請求項２】
前記ワイヤレスネットワークに前記指示を送信した後、前記クイックページングチャネルの監視を止めるステップをさらに含む、請求項１に記載の方法。
【請求項３】
前記所定の電源が前記モバイルデバイスに連結されていないことの確認に基づいて前記ワイヤレスネットワークに送信される前記クイックページングチャネルの使用を再確立する指示を与えるステップと、
該指示を該ワイヤレスネットワークに送信した後、該クイックページングチャネルを監視するステップと
をさらに含む、請求項１に記載の方法。
【請求項４】
前記指示が、前記モバイルデバイスに割り当てられたクイックページングチャネルスロットにおいて、前記ワイヤレスネットワークにクイックページングチャネル指示を止めるよう指令するためのものである、請求項１に記載の方法。
【請求項５】
登録に使用されるメッセージを前記ワイヤレスネットワークに送信し得るまで遅延させるステップと、
遅延させた後、登録に使用される前記メッセージ内において前記ワイヤレスネットワークに前記指示が送信されるステップとをさらに含む、請求項１に記載の方法。
【請求項６】
登録に使用される現在のメッセージから一定期間の遅延の後、該登録に使用される現在のメッセージおよび前記登録に使用されると予測されるメッセージのうちどちらで前記指示を送信するかを、どちらのメッセージが省電力により好都合であるかに基づき決定するステップと、
前記指示を送信するために、前記現在のメッセージおよび登録を予測されるメッセージのうちひとつを、どちらのメッセージが省電力により好都合であるかに基づき選択するステップとをさらに含む、請求項１に記載の方法。
【請求項７】
前記所定の電源が高容量電源を含む、請求項１に記載の方法。
【請求項８】
前記所定の電源が充電式電源を含む、請求項１に記載の方法。
【請求項９】
前記指示が登録に使用されるメッセージ内で前記ワイヤレスネットワークに送信される、請求項１に記載の方法。
【請求項１０】
前記指示がパラメータ変更登録に使用されるメッセージ内で前記ワイヤレスネットワークに送信される、請求項１に記載の方法。
【請求項１１】
前記指示がタイマーベースの登録に使用されるメッセージ内で前記ワイヤレスネットワークに送信される、請求項１に記載の方法。
【請求項１２】
前記指示が暗黙の登録内で前記ワイヤレスネットワークに送信される、請求項１に記載の方法。
【請求項１３】
記憶媒体と、
該記憶媒体に保存されたコンピュータ命令であって、該コンピュータ命令が、
モバイル通信デバイスにおいてワイヤレス通信ネットワークのクイックページングチャネルを監視するステップと、
所定の電源が該モバイルデバイスに連結されているか否かを確認するステップと、
該所定の電源が該モバイルデバイスに連結されていることの確認に基づいて該ワイヤレスネットワークに送信されるクイックページングチャネルの使用を終了するための指示を与えるステップと
をひとつ以上のプロセッサによって実行可能であるコンピュータ命令と
を備える、コンピュータプログラム製品。
【請求項１４】
前記コンピュータ命令がさらに、前記ワイヤレスネットワークに前記指示を送信した後、前記クイックページングチャネルの監視を止めるステップを実行可能である、請求項１３に記載のコンピュータプログラム製品。
【請求項１５】
前記コンピュータ命令がさらに、
前記所定の電源が前記モバイルデバイスに連結されていないことの確認に基づいて前記ワイヤレスネットワークに送信される前記クイックページングチャネルの使用を再確立する指示を与えるステップと、
該指示を該ワイヤレスネットワークに送信した後、該クイックページングチャネルを監視するステップと
を実行可能である、請求項１３に記載のコンピュータプログラム製品。
【請求項１６】
前記指示が、前記モバイルデバイスのためのクイックページングチャネルにおいて、前記ワイヤレスネットワークにクイックページングチャネル指示を止めるよう指令するためのものである、請求項１３に記載のコンピュータプログラム製品。
【請求項１７】
前記コンピュータ命令がさらに、
登録に使用されるメッセージを前記ワイヤレスネットワークに送信し得るまで遅延するステップと、
遅延の後、前記指示が、登録に使用される該メッセージ内において該ワイヤレスネットワークに送信されるステップと
を実行可能である、請求項１３に記載のコンピュータプログラム製品。
【請求項１８】
前記コンピュータ命令がさらに、
登録に使用される現在のメッセージから一定期間の遅延の後、該登録に使用される現在のメッセージおよび登録に使用されると予測されるメッセージのうちどちらで前記指示を送信するかを、どちらのメッセージが省電力により好都合であるかに基づき決定するステップと、
該指示を送信するための前記登録に使用される現在のメッセージおよび登録に使用されると予測されるメッセージのうちひとつを、どちらのメッセージが省電力により好都合であるかに基づき選択するステップと
を実行可能である、請求項１３に記載のコンピュータプログラム製品。
【請求項１９】
前記所定の電源が高容量電源を含む、請求項１３に記載のコンピュータプログラム製品。
【請求項２０】
前記所定の電源が充電式電源を含む、請求項１３に記載のコンピュータプログラム製品。
【請求項２１】
前記指示が登録に使用されるメッセージ内で前記ワイヤレスネットワークに送信される、請求項１３に記載のコンピュータプログラム製品。
【請求項２２】
前記指示がタイマーベースの登録に使用されるメッセージ内で前記ワイヤレスネットワークに送信される、請求項１０に記載のコンピュータプログラム製品。
【請求項２３】
前記指示がパラメータ変更登録に使用されるメッセージ内で前記ワイヤレスネットワークに送信される、請求項１３に記載のコンピュータプログラム製品。
【請求項２４】
前記指示が暗黙の登録に使用されるメッセージ内で前記ワイヤレスネットワークに送信される、請求項１３に記載のコンピュータプログラム製品。
【請求項２５】
ワイヤレストランシーバと、
該ワイヤレストランシーバに連結するアンテナと、
該ワイヤレストランシーバに連結するひとつ以上のプロセッサと、
電源と接続するように適合された電源インターフェースと
を備え、該ひとつ以上のプロセッサは、
該ワイヤレストランシーバを使用して、ワイヤレス通信ネットワークのクイックページングチャネルを監視し、
所定の電源が該電源インターフェースに連結されているか否かを確認し、
該所定の電源が前記電源インターフェースにおいて連結されていることの確認に基づき、前記ワイヤレストランシーバを用いて該ワイヤレスネットワークに送信されるクイックページングチャネルの使用を終了するための指示を与えるよう動作する、
モバイル通信デバイス。
【請求項２６】
前記ひとつ以上のプロセッサがさらに、前記ワイヤレスネットワークに前記指示を送信した後、前記ワイヤレストランシーバを用いて前記クイックページングチャネルの監視を止めるよう動作する、請求項２５に記載のモバイルデバイス。
【請求項２７】
前記ひとつ以上のプロセッサがさらに、
前記所定の電源が前記モバイルデバイスに連結されていないことの確認に基づき、前記ワイヤレスネットワークに送信される前記クイックページングチャネルの使用を再確立する指示を与え、
該指示を該ワイヤレスネットワークに送信した後、該クイックページングチャネルを監視するよう動作する、請求項２５に記載のモバイルデバイス。
【請求項２８】
前記指示が、前記ワイヤレスネットワークに、前記モバイルデバイスのためのクイックページングチャネルにおいて、クイックページングチャネル指示を止めるよう指令するためのものである、請求項２５に記載のモバイルデバイス。
【請求項２９】
前記ひとつ以上のプロセッサがさらに、
登録に使用されるメッセージを前記ワイヤレスネットワークに送信するまで遅延し、
遅延した後、登録に使用される該メッセージ内において該ワイヤレスネットワークに送信される前記指示を与えるよう動作する、請求項２５に記載のモバイルデバイス。
【請求項３０】
前記ひとつ以上のプロセッサがさらに、
登録に使用される現在のメッセージから一定期間の遅延の後、登録に使用される現在のメッセージおよび登録に使用されると予測されるメッセージのうちどちらで前記指示を送信するかを、どちらのメッセージが省電力により好都合であるかに基づき決定し、
前記指示を送信するための前記登録に使用される現在のメッセージおよび登録に使用されると予測されるメッセージのうちひとつを、どちらのメッセージが省電力により好都合であるかに基づき選択するよう動作する、請求項２５に記載のモバイルデバイス。
【請求項３１】
前記所定の電源が高容量電源を含む、請求項２５に記載のモバイルデバイス。
【請求項３２】
前記所定の電源が充電式電源を含む、請求項２５に記載のモバイルデバイス。
【請求項３３】
前記指示が登録に使用されるメッセージ内で前記ワイヤレスネットワークに送信される、請求項２５に記載のモバイルデバイス。
【請求項３４】
前記指示がタイマーベースの登録に使用されるメッセージ内で前記ワイヤレスネットワークに送信される、請求項２５に記載のモバイルデバイス。
【請求項３５】
前記指示がパラメータ変更登録に使用されるメッセージ内で前記ワイヤレスネットワークに送信される、請求項２５に記載のモバイルデバイス。
【請求項３６】
前記指示が暗黙の登録に使用されるメッセージ内で前記ワイヤレスネットワークに送信される、請求項２５に記載のモバイルデバイス。
【請求項３７】
前記クイックページングチャネルが、前記モバイルデバイスのためのページメッセージが前記モバイルデバイスに割り当てられた次のページングスロット内に含まれていることを示すものである、請求項２５に記載のモバイルデバイス。
【請求項３８】
モバイル通信デバイスにおける電源節約の方法であって、
前記モバイルデバイスにおいて、ワイヤレス通信ネットワーク内のパラメータ変更の状態を確認するステップと、
登録に使用されると予測されるメッセージが該ワイヤレスネットワークに送信されるまでの一定期間遅延するステップと、
登録に使用されると予測されるメッセージ内にパラメータを提供するステップと、
該ワイヤレスネットワークに伝送され、登録に使用されると予測されるメッセージをもたらすステップと、
を含む方法。
【請求項３９】
前記パラメータが、前記モバイルデバイスのためのクイックページングチャネルの使用を終了するクイックページングチャネル終了指示を含む、請求項３８に記載の方法。
【請求項４０】
前記登録に使用されると予測されるメッセージがタイマーベースの登録に使用されるメッセージを含む、請求項３８に記載の方法。
【請求項４１】
前記登録に使用されると予測されるメッセージが前記ワイヤレスネットワークにおけるパラメータ変更に使用されるメッセージを含む、請求項３８に記載の方法。
【請求項４２】
前記登録に使用されると予測されるメッセージが前記ワイヤレスネットワークにおけるパラメータ変更のための追加のパラメータを含む、請求項３８に記載の方法。
【請求項４３】
所定の電源が前記モバイルデバイスに連結されているか否かを確認するステップをさらに含み、
前記パラメータを変更するための状態を確認する挙動が、前記所定の電源が前記モバイルデバイスに連結しているか否かの確認に基づく、請求項３８に記載の方法。
【請求項４４】
登録に使用される現在のメッセージおよび前記登録に使用されると予測されるメッセージのうちいずれかにおいて、どちらのメッセージが省電力により好都合であるかに基づき前記パラメータを送信するか否かを決定するステップと、
該登録に使用される現在のメッセージおよび該登録に使用されると予測されるメッセージのうち、いずれの中で前記決定する挙動に基づき前記パラメータを送信するかを選択するステップと
をさらに含む、請求項３８に記載の方法。
【発明の詳細な説明】
【技術分野】
【０００１】
本出願は、概してワイヤレスネットワークにおいて動作する移動局に関し、より具体的には、高容量電源の使用に基づくクイックページングチャネル（ＱＰＣＨ）の使用を終了するための方法および装置に関する。
【０００２】
（関連出願の相互参照）
本出願は、「Ｍｅｔｈｏｄ  Ｏｆ  Ｒｅｑｕｉｒｅｄ  Ｓｌｏｔ  Ｃｙｃｌｅ  Ｉｎｄｉｃａｔｉｏｎ  Ｆｏｒ  Ｓｌｏｔｔｅｄ  Ｍｅｓｓａｇｉｎｇ」という題目の米国仮特許出願６０／５２７，８６５（２００３年１２月８日出願）に対して優先権主張を行っており、これは本明細書中で援用されている。
【背景技術】
【０００３】
ワイヤレス通信デバイス、例えばセルラー通信ネットワークにて動作する移動局等は、音声電話技術とデータ通信の両方を備えることができる。例えば、移動局は、第三世代（３Ｇ）通信標準規格（例えばＩＳ−２０００リリース０等）に準拠し、世界標準移動体通信規格（ＧＳＭ）、時分割多元接続（ＴＤＭＡ）、または符号分割多重接続（ＣＤＭＡ）ワイヤレスネットワーク技術を利用することができる。
【０００４】
ＩＳ−２０００によって定義されるＣＤＭＡ通信において、クイックページングチャネル（ＱＰＣＨ）は、モバイルデバイスに対して割り当てられる次のページングスロットの中にページメッセージが存在するか否かの指示を、前記モバイルデバイスに早期に与えるために利用される。前記クイックページングチャネルは次の前記ページングスロットと比べ比較的短く、そのため指示がページメッセージが存在しないことを示した場合、前記モバイルデバイスは次の前記ページングスロットを監視する必要はない。明らかなように、クイックページングチャネル指示はモバイルデバイスの省電力を意図したものであり、もはやページ毎に割り当てられた各ページングスロットを常に反復して監視する必要はない。しかしながら、モバイルデバイスがクイックページングチャネルは正確ではない可能性があると判断した場合、前記モバイルデバイスは関連した次のページングスロットを監視し続ける。
【０００５】
前記クイックページングチャネルはオンオフキーイング技術を利用する。比較的多数のモバイルデバイスがネットワーク上で動作している場合、指示の「衝突」が生じてクイックページングチャネル指示の前記モバイルデバイスにおける使用の正確さが損なわれてしまう可能性が高い。これによって、ネットワーク上の全てのモバイルデバイスはより頻繁にページングスロットを監視することが必要となる。つまり、ネットワーク上でクイックページングチャネルを利用するモバイルデバイスが増えるに従い、所定のクイックページングチャネル指示を不正確とならしめる衝突が生じやすくなり、従ってネットワーク上のモバイルデバイスはページングスロットをより監視することが必要となり、結果全ての移動局の電力消費量を増加させる。
【０００６】
クイックページングチャネルはモバイルデバイスに対する次のページングスロットをおよそ１００ミリ秒待機するよう定められていることにも留意すべきである。従ってネットワークは、指示を与えた後に前記モバイルデバイスへ実際にページメッセージを送信する前に、１００ミリ秒遅延する必要がある。従って、ネットワークが一定のメッセージをモバイルデバイスに送信する時間が増加し、前記モバイルデバイスのための呼確立時間が増加する。
【０００７】
その他のシステムが類似の問題を示すこともある。従って、ワイヤレス通信ネットワーク上でのページングための技術を改良する必要がある。
【０００８】
モバイルデバイスが規定の電力供給源と異なる高容量電源を使用する場合、そのモバイルデバイスのためのクイックページングチャネルの使用を終了するよう、ネットワークに指示を送る。高容量電源とは、例えば交流電源コンセントまたは充電装置、充電器、ユニバーサルシリアルバス（ＵＳＢ）経由のコンピュータ電源等である。このような電源を利用する場合、モバイルデバイスは電力を節約する強い必要性はない。２つの利点は、（１）一般的にネットワーク上にある全ての移動局の電力消費量を減少させる、クイックページング指示の衝突の可能性の減少、（２）モバイルデバイスのための呼確立時間軽減である。
【発明の開示】
【課題を解決するための手段】
【０００９】
１つの具体例において、モバイル通信デバイスは、ワイヤレストランシーバと、前記ワイヤレストランシーバに連結するアンテナと、前記ワイヤレストランシーバに連結する１つ以上のプロセッサと、前記モバイルデバイスに電力を供給するための電源と接続するように適合された電源インターフェースを有する。前記１つ以上のプロセッサは、前記ワイヤレストランシーバを使用しワイヤレス通信ネットワークのクイックページングチャネルを監視し、所定の電源が前記電源インターフェースに接続されているか否かを確認し、所定の電源が電源インターフェースに接続されていることの確認に基づき、前記ワイヤレストランシーバを用いてワイヤレスネットワークに送信されるようにクイックページングチャネルの使用を終了するための指示を行い、またワイヤレスネットワークに指示を送信後はワイヤレストランシーバを使用したクイックページングチャネルの監視を行わないよう機能する。前記指示は前記ワイヤレスネットワークを使用して登録のために使用されるメッセージ内に送信されることができ、このタスクの具体的実行方法について詳細を説明する。
【発明を実施するための最良の形態】
【００１０】
１つの具体例において、モバイル通信デバイスは、ワイヤレストランシーバと、前記ワイヤレストランシーバに連結するアンテナと、前記ワイヤレストランシーバに連結する１つ以上のプロセッサと、前記モバイルデバイスに電力を供給するための電源と接続するように適合された電源インターフェースを有する。前記１つ以上のプロセッサは、前記ワイヤレストランシーバを使用しワイヤレス通信ネットワークのクイックページングチャネルを監視し、所定の電源が前記電源インターフェースに接続されているか否かを確認し、所定の電源が電源インターフェースに接続されていることの確認に基づき、前記ワイヤレストランシーバを用いてワイヤレスネットワークに送信されるようにクイックページングチャネルの使用を終了するための指示を行い、またワイヤレスネットワークに指示を送信後はワイヤレストランシーバを使用したクイックページングチャネルの監視を行わないよう機能する。
【００１１】
図１は、ワイヤレス通信ネットワーク１０４を介して通信を行うモバイル通信デバイス１０２を含む通信システム１００を示すブロック図である。モバイルデバイス１０２は、画像ディスプレイ１１２と、キーボード１１４と、可能ならば１つ以上の補助ユーザインターフェース（ＵＩ）１１６を含み、それぞれがコントローラ１０６に連結していることが好ましい。コントローラ１０６は無線周波数（ＰＦ）トランシーバ回路１０８およびアンテナ１１０にも連結している。
【００１２】
一般的に、コントローラ１０６はメモリ構成要素（図示せず）内のオペレーティングシステムソフトウェアを動作させる中央演算処理装置（ＣＰＵ）として具現化される。コントローラ１０６が通常モバイルデバイス１０２の全動作を制御する一方で、通信機能に関わる信号処理動作は一般的にＲＦトランシーバ回路１０８にて行われる。コントローラ１０６は受信した情報を表示し、情報、ユーザ入力などを保存するためにデバイスディスプレイ１１２と接続する。キーボード１１４は、電話式テンキーまたは完全な英数字キーボードであることがあり、通常モバイルデバイス１０２に保存するデータ、ネットワーク１０４へ伝達する情報、電話をかけるための電話番号、モバイルデバイス１０２上で実行されるコマンドおよび場合により他のユーザ入力を入力するために備えられている。
【００１３】
モバイルデバイス１０２は、アンテナ１１０を経由しワイヤレスリンクでネットワーク１０４と通信信号の送受信を行う。ＲＦトランシーバ回路１０８は、例えば変調／復調、場合によりエンコード／デコードおよび暗号化／復号化を含む、無線ネットワーク（ＲＮ）１２８と類似した機能を実行する。ＲＮ１２８によって実行される機能に加え、ＲＦトランシーバ回路１０８が一定の機能を実行することができるとも考えられる。当業者には、ＲＦトランシーバ回路１０８がモバイルデバイス１０２の動作を意図する特定の単数または複数のワイヤレスネットワークに適合されることは明白であろう。モバイルデバイス１０２が完全に動作している場合、ＲＦトランシーバ回路１０８のＲＦ送信機は一般的にネットワークへの送信中のみ動作され、そうでない場合には、資源節約のため停止される。同様に、ＲＦトランシーバ回路１０８のＲＦ送信機は一般的に、信号または情報を受信する必要が生じるまで（仮にあったとしても）指定された期間、電力節約のため停止される。
【００１４】
モバイルデバイス１０２は１つ以上の充電可能なバッテリ１２４を受け入れるための電源インターフェース１２２を備える。バッテリ１２４はモバイルデバイス１０２の電気回路に電力を供給し、電源インターフェース１２２はバッテリ１２４に機械的および電気的接続を提供する。電源インターフェース１２２は、デバイスへの電力を調整するレギュレータ１２６に連結される。電源インターフェース１２２はまた補助電源１２５と結合するようにも適合されている。補助電源１２５は、バッテリ１２４よりも大容量または高容量の電源である。補助電源１２５は、モバイルデバイス１０２に無制限の電源供給を提供する。補助電源１２５は、例えば交流電源コンセント、「シガレットライター」またはその他適合する接続による車載用電源、またはユニバーサルシリアルバス（ＵＳＢ）経由のコンピュータ電源等であってもよい。
【００１５】
モバイルデバイス１０２は、加入者識別モジュール（ＳＩＭ）または着脱式利用者識別モジュール（Ｒ−ＵＩＭ）等、インターフェース１１８においてモバイルデバイス１０２に接続または挿入される記憶モジュール１２０を使用して動作する。ＳＩＭまたはＲ−ＵＩＭの代替として、モバイルデバイス１０２はサービスプロバイダによりモバイルデバイス１０２の不揮発性メモリ内にプログラムされた構成データに基づいて動作することができる。モバイルデバイス１０２は、例えばデータ通信デバイス、携帯電話、データおよび音声通信機能を備えた多機能通信デバイス、ワイヤレスコミュニケーションが可能な携帯情報端末（ＰＤＡ）、またはモデム内蔵のコンピュータのような単一ユニットからなることがある。あるいは、モバイルデバイス１０２は複数の個別の構成要素を備えるマルチモジュールからなることがあり、これはコンピュータまたはワイヤレスモデムに接続したその他のデバイスを含むが決してこれに限定されるものではない。特に、例えば図１のモバイルデバイスブロック図においては、ＲＦトランシーバ回路１０８とアンテナ１１０はラップトップ型コンピュータのポートに挿入できる無線モデムユニットとして実施することができる。この場合、ラップトップ型コンピュータはディスプレイ１１２、キーボード１１４および１つ以上の補助ＵＩ１１６を備えるであろう。コントローラ１０６はコンピュータのＣＰＵとしてもモデムユニット内の個別のＣＰＵとしても実施される。コンピュータまたは通常ワイヤレスコミュニケーションを行えないその他の装置は、上記のような単一ユニットデバイスのＲＦトランシーバ回路１０８およびアンテナ１１０に接続され、その制御を引き継ぐよう適合されることがある。そのようなモバイルデバイス１０２は図２の移動局２０２に関連して後に説明するものより、特定の実装を有する。
【００１６】
モバイルデバイス１０２はワイヤレス通信ネットワーク１０４上で、および経由して通信を行う。図１の実施例においては、ワイヤレスネットワーク１０４は、符号分割多重接続（ＣＤＭＡ）技術に基づく第二世代（２Ｇ）または第三世代（３Ｇ）対応ネットワークである。特に、ワイヤレスネットワーク１０４は、図１に示すように、連結した固定ネットワーク要素を含むＣＤＭＡ２０００（登録商標）である。ＣＤＭＡ２０００方式のワイヤレスネットワーク１０４は、無線ネットワーク（ＲＮ）１２８と、移動通信交換局（ＭＳＣ）１３０と、信号方式７（ＳＳ７）ネットワーク１４０と、ホームロケーションレジスタ／認証センター（ＨＬＲ／ＡＣ）１３８と、パケットデータ提供ノード（ＰＤＳＮ）１３２と、ＩＰネットワーク１３４およびリモート認証ダイヤルインユーザサービス（ＲＡＤＩＵＳ）サーバ１３６を含む。ＳＳ７ネットワーク１４０は、コールパーティ１５０（例えば固定電話やその他移動局）のようなその他のコールパーティまたは緊急コールセンター１５２を用いてモバイルデバイス１０２に接続しているネットワーク１４２（例えば公衆交換電話網つまりＰＳＴＮ）に通信を行えるよう連結している。これに対し、ＩＰネットワーク１３４はインターネットのような他のネットワーク１４４に通信を行えるよう連結している。ＣＤＭＡ２０００（登録商標）は米国電気通信工業会（ＴＩＡ−ＵＳＡ）の登録商標であることにも留意すべきである。
【００１７】
動作中、モバイルデバイス１０２は呼確立、呼処理および移動性管理などの機能を実行するＲＮ１２８と通信を行う。ＲＮ１２８は、一般に「セル」と呼ばれる特定のサービスエリアのためのワイヤレスネットワークサービスエリアを提供する複数の基地局トランシーバシステムを含む。ＲＮ１２８の特定の基地局トランシーバシステム、例えば図１に示されているものは、そのセル内においてモバイルデバイスと通信信号の送受信を行う。基地局トランシーバシステムは通常、特定の、通例所定の通信プロトコルおよびパラメータに従って、コントローラによる制御のもと、モバイルデバイスに送信される信号の変調および場合によりエンコードおよび／または暗号化のような機能を実行する。基地局トランシーバシステムは同様に、必要ならばセル内におけるモバイルデバイス１０２から受信した通信信号を復調、デコード、復号化する。通信プロトコルおよびパラメータは、別のネットワーク間では異なる場合がある。例えば、あるネットワークは他のネットワークとは異なる変調スキームを使用し、異なる周波数で動作する。基本的なサービスもその特定のプロトコル改定に基づいて異なる場合がある。
【００１８】
図１の通信システム１００に示されるワイヤレスリンクは、１つ以上の異なるチャネル、一般的には異なる無線周波数（ＲＦ）チャネルおよびワイヤレスネットワーク１０４とモバイルデバイス１０２の間で使用されている関連プロトコルを表す。当業者には、現実実務におけるワイヤレスネットワークがサービスエリアの全範囲で必要に応じて何百ものセルを含むことができることが理解されるであろう。全ての関連する構成要素は多様のスイッチおよびルータ（図示せず）によって接続され、多様のネットワークコントローラによって制御されることができる。
【００１９】
ネットワークオペレータに登録された全てのモバイルデバイス１０２に対し、一時データ（例えばモバイルデバイス１０２の現在地）のみならず永久データ（例えばモバイルデバイス１０２のユーザプロフィール）もＨＬＲ／ＡＣ１３８内に保存される。モバイルデバイス１０２への音声通話の場合には、ＨＬＲ／ＡＣ１３８はモバイルデバイス１０２の現在地を決定するよう問い合わせを受ける。ＭＳＣ１３０の訪問者情報メモリ（ＶＬＲ）は位置範囲のひとつのグループに責任があり、その責任の範囲内に現在位置しているモバイルデバイスのデータを保存する。これはＨＬＲ／ＡＣ１３８からＶＬＲへより速いアクセスのために送信された永久モバイルデバイスデータの一部を含む。しかしながら、ＭＳＣ１３０のＶＬＲは、一時的認証のようなローカルデータを割り当て、保存することもできる。モバイルデバイス１０２はまた、ＨＬＲ／ＡＣ１３８によるシステムアクセスで認証される。ＣＤＭＡ２０００準拠のネットワーク上のモバイルデバイス１０２にパケットデータサービスを提供するために、ＲＮ１２８はＰＤＳＮ１３２と通信を行う。ＰＤＳＮ１３２は、ＩＰネットワーク１３４を介しインターネット１４４（またはイントラネット、ワイヤレスアプリケーションプロトコル（ＷＡＰ）サーバなど）へのアクセスを提供する。ＰＤＳＮ１３２は、仮想プライベートネットワークのためのパケット輸送と同様に、ＩＰモバイルネットワーク内に外部エージェント（ＦＡ）機能も提供する。ＰＤＳＮ１３２はＩＰアドレスの範囲を有するとともにＩＰアドレス管理、セッションメンテナンスおよび任意でキャッシュメモリへのデータ保存を行う。ＲＡＤＩＵＳサーバ１３６はパケットデータサービスの認証、許可およびアカウンティング（ＡＡＡ）に関わる機能の実行に責任があり、ＡＡＡサーバと呼ばれることがある。
【００２０】
ワイヤレス通信ネットワーク１０４は、モバイルデバイスの位置を検出するための位置検出構成要素を含む。モバイルデバイスの位置情報は従来のＧＰＳシステム１５４のＧＰＳ衛星を利用した全地球測位システム（ＧＰＳ）技術に基づいて得られる。一般的な構成では、ＧＰＳシステム１５４は１２時間で地球を一周する２４基のＧＰＳ衛星を含む。本出願では、モバイルデバイス１０２はＧＰＳシステム１５４から受信した信号に基づいてＧＰＳ情報を入手し、ワイヤレスネットワーク１０４上の位置管理サーバ１９０を利用してその位置を測定し入手する。位置管理サーバ１９０はＭＳＣ１３０および／またはＩＰネットワーク１３４に接続され、ポジションディターミネーションエンティティ（Ｐｏｓｉｔｉｏｎ  Ｄｅｔｅｒｍｉｎａｔｉｏｎ  Ｅｎｔｉｔｙ、ＰＤＥ）と呼ばれるものを含むことがある。ＰＤＥは、信号を受信しＧＰＳシステム１５４によって送信された情報をエンコードするために使用されるＧＰＳレシーバ１９２に連結している。モバイルデバイス１０２は、一般的に音声およびデータ通信に使用される同じＲＦトランシーバ１０８を使用して（または少なくともその一部を共有することによって）ＧＰＳシステム１５４および位置管理サーバ１９０からＧＰＳ情報を受信することができる。
【００２１】
当業者には、ワイヤレスネットワーク１０４が、図１には明示されていないが、場合により他のネットワークも含む、他のシステムと接続されることが理解されるであろう。実際にはパケットデータの交換が行われていないとしても、ネットワークは普通、少なくともある種のページングおよびシステム情報を継続して送信しているであろう。ネットワークは多くの部分からなっているが、これらの部分がすべてともに作用することで、ワイヤレスリンクでの一定動作という結果になる。
【００２２】
図２は、好ましいモバイルデバイス、すなわち移動局２０２を示す、詳細なブロック図である。移動局２０２は、少なくとも音声および他のコンピュータシステムと通信を行う機能を含む高度なデータ通信機能を有する双方向通信デバイスである。移動局２０２により提供される機能性によって、データメッセージデバイス、双方向ポケットベル、データ通信機能付携帯電話、ワイヤレスインターネットアプライアンス、またはデータ通信デバイス（電話機能の有無に関わらず）などと呼ばれることがある。移動局２０２は複数の基地局トランシーバシステム２００を使用してその地理的なサービスエリア内で通信を行うことができる。移動局２０２は通信を行う基地局トランシーバシステム２００を選択または選択を促進する。
【００２３】
移動局２０２は一般的に、受信機２１２と、送信機２１４および１つ以上の（埋め込み型または内蔵型が好ましい）アンテナ要素２１６および２１８のような関連構成要素と、局部発振機（ＬＯ）２１３と、デジタルシグナルプロセッサ（ＤＳＰ）２２０のような処理モジュールとを含む通信サブシステム２１１を組み込む。通信サブシステム２１１は、図１に示されるＲＦトランシーバ回路１０８およびアンテナ１１０に類似している。通信分野の技術者にとって明らかなように、通信システム２１１の特定の設計は移動局２０２が動作する予定の通信ネットワークに依存する。
【００２４】
移動局２０２は、要求されたネットワーク登録または認証処理が完了した後、ネットワークを介して通信信号の送受信を行うことができる。ネットワークを通じアンテナ２１６により受信された信号は受信機２１２へ入力され、信号増幅、周波数下方変換、フィルタリング、チャネル選択および図２の例に示されるようなアナログからデジタルへの（Ａ／Ｄ）変換等のような一般の受信機機能を実行することができる。受信した信号のＡ／Ｄ変換により、ＤＳＰ２２０で実行される復調および復号化のような、より複雑な通信機能が可能になる。同様の方法で、送信される信号の、例えばＤＳＰ２２０による変調およびエンコードを含む処理が行われる。これらのＤＳＰ処理された信号はデジタルからアナログへの（Ａ／Ｄ）変換、周波数上方変換、フィルタリング、アンテナ２１８を経由した通信ネットワーク上での増幅および送信のために送信機２１４へ入力される。ＤＳＰ２２０は通信信号を処理するのみでなく、受信機および送信機の制御も提供する。例えば、受信機２１２および送信機２１４内で通信信号に適用されるゲインは、ＤＳＰ２２０内で実施される自動ゲイン制御アルゴリズムによって順応して制御されることができる。
【００２５】
ネットワークアクセスは移動局２０２の加入者またはユーザに関連しており、従って移動局２０２は、ネットワーク上で動作するように移動局２０２のインターフェース２６４に挿入または接続された加入者識別モジュールすなわち「ＳＩＭ」カード、または着脱式利用者識別モジュール（Ｒ−ＵＩＭ）のような記憶モジュール２６２を必要とする。あるいは、不揮発性メモリまたはフラッシュメモリ２２４の一部は、移動局２０２がネットワーク上で動作するように、構成データとともにサービスプロバイダによってプログラムされている。
【００２６】
移動局２０２は移動可能なバッテリ式デバイスであるため、バッテリまたは補助電源のような別の電源（図１に関して説明）を受け入れるために電源インターフェース２５４も含む。そのような電力供給源は、仮に移動局２０２に電気回路がない場合に最も電力を供給し、インターフェース２５４はそのための機械的および電気的接続を提供する。電源インターフェース２５４は、全ての回路に電力を供給するレギュレータ（図２には図示なし）に連結している。
【００２７】
移動局２０２は、移動局２０２の動作を全て制御するマイクロプロセッサ２３８（図１のコントローラ１０６のひとつの実装）を含む。この制御には本出願のクイックページング技術も含まれる。少なくともデータおよび音声の通信を含む通信機能は、通信サブシステム２１１により実行される。マイクロプロセッサ２３８は、ディスプレイ２２２、フラッシュメモリ２２４、ランダムアクセスメモリ（ＲＡＭ）２２６、補助の入力／出力（Ｉ／Ｏ）２２８、シリアルポート２３０、キーボード２３２、スピーカー２３４、マイクロフォン２３６、専用狭域通信サブシステム２４０、その他通常２４２に指定された任意のデバイスサブシステムなどの追加デバイスサブシステムとも情報交換を行う。図２に示されたサブシステムの中には通信に関連した機能を実行するものもあり、これに対し他のサブシステムは「常駐の」または端末上の機能を提供することができる。特に、例えばキーボード２３２およびディスプレイ２２２などのいくつかのサブシステムは、通信ネットワークへ送信するためのテキスト入力および計算機またはタスクリストとしてのデバイス内蔵機能等、両方の通信に関連した機能に使用されることがある。マイクロプロセッサ２３８によって使用されるオペレーティングシステムソフトウェアは、フラッシュメモリ２２４のような永続性の記憶装置に保存されるのが好ましく、読み出し専用メモリ（ＲＯＭ）または同様の記憶要素（図示せず）も代替となりうる。当業者には、オペレーティングシステム、特定のデバイスアプリケーションまたはその一部がＲＡＭ２２６等の揮発性記憶装置へ一時的にロードされうることが理解されるであろう。
【００２８】
マイクロプロセッサ２３８は、そのオペレーティングシステム機能に加え、移動局２０２上のソフトウェアアプリケーションを実行できることが好ましい。少なくともデータおよび音声の通信アプリケーションを含む基本的なデバイス操作を制御する所定のアプリケーション一式は、通常その製造中に移動局２０２にインストールされる。移動局２０２にロードされうる好ましいアプリケーションは、ユーザに関連する、例えば電子メール、イベントカレンダー、ボイスメール、スケジュールおよびタスク項目などであるがこれに限定されないデータ項目を整理し管理する機能を有するスケジュール管理（ＰＩＭ）アプリケーションでありうる。当然ながら、ＰＩＭデータ項目およびその他の情報の記憶を容易にするため、１つ以上の記憶装置が移動局２０２およびＳＩＭ２５６で利用できる。
【００２９】
ＰＩＭアプリケーションはデータ項目をワイヤレスインターネット経由で送受信する機能を有するのが好ましい。好ましい実施の形態においては、ＰＩＭデータ項目はホストコンピュータシステムに保存され、さらに／または関連する移動局ユーザの関連するデータ項目を用いてワイヤレスネットワークを経由してシームレスに統合、同期化およびアップデートされ、その結果、そのような項目について反映されたホストコンピュータを移動局２０２上に作成する。このことは特にホストコンピュータシステムが移動局ユーザのオフィスコンピュータシステムである場合に好都合である。ネットワーク、補助Ｉ／Ｏサブシステム２２８、シリアルポート２３０、専用狭域通信サブシステム２４０、またはその他適合する任意のサブシステム２４２によって追加のアプリケーションを移動局２０２にロードし、マイクロプロセッサ２３８により実行されるように、ユーザがＲＡＭ２２６または好ましくは不揮発性記憶装置（図示せず）にインストールすることもできる。アプリケーションのインストールにおけるそのような柔軟性は、移動局２０２の機能性を拡大し、端末上の機能や通信関連機能、またはその両方の強化を可能にする。例えば、信頼できる通信アプリケーションにより、電子商取引機能や移動局２０２を使用して実行されるその他の金融取引が可能になる。
【００３０】
データ通信モードにおいて、テキストメッセージ、電子メールメッセージ、あるいはウェブページのダウンロードなどの受信された信号は、通信サブシステム２１１によって処理され、マイクロプロセッサ２３８へ入力される。マイクロプロセッサ２３８は信号をディスプレイ２２２あるいは補助Ｉ／Ｏデバイス２２８へ出力するため、さらに処理を行うのが好ましい。移動局２０２のユーザは、例えばディスプレイ２２２および可能ならば補助Ｉ／Ｏデバイス２２８とともにキーボード２３２を使用して、電子メールメッセージなどのデータ項目の作成も行うことができる。キーボード２３２は完全な英数字のキーボードおよび／または電話式テンキーであるのが好ましい。これらの構成項目は通信サブシステム２１１により通信ネットワークに送信されることができる。
【００３１】
音声通信の場合も、移動局２０２の全ての動作は、受信された信号がスピーカー２３４に出力され、送信する信号がマイクロフォン２３６により生み出されること以外は概ね同様である。ボイスメッセージ録音サブシステムのように、音声またはオーディオのＩ／Ｏサブシステムも移動局２０２において実装される。声または音の信号出力は主にスピーカー２３４によって実現されるのが好ましいが、ディスプレイ２２２もまた発呼者の確認の指示、音声電話の継続時間または例示したような情報に関わるその他の音声通話などを提供するのに使用されることがある。
【００３２】
図２のシリアルポート２３０は通常、携帯情報端末（ＰＤＡ）型の通信デバイスにおいて実装され、ユーザのデスクトップコンピュータと同期がとれるために任意選択ではあるが望ましい構成要素である。シリアルポート２３０はユーザが外付デバイスやソフトウェアアプリケーションによって好みのものを設置することを可能にし、ワイヤレスネットワークを経由する以外にも、移動局２０２への情報やソフトウェアダウンロードを提供することによって移動局２０２の機能を拡張する。この代替のダウンロードパスは、例えば暗号鍵を最短の、従って信頼できる接続により移動局２０２にロードするために使用することができ、それによって安全なデバイスコミュニケーションを提供することができる。
【００３３】
図２の専用狭域通信サブシステム２４０は、移動局２０２と別のシステムまたはデバイスの間の通信を提供する追加の任意選択構成要素であり、類似のデバイスである必要性はない。例えば、サブシステム２４０は赤外線デバイスおよび結合した回路と構成要素、あるいは同様に利用可能なシステムおよびデバイスとの通信を提供するブルートゥース（商標）通信モジュールを含む。ブルートゥース（商標）はブルートゥースＳＩＧの登録商標である。
【００３４】
図３は、モバイルデバイスが使用できる携帯電話上でのプッシュツートーク（ＰＴＴ）（ＰｏＣ）通信に付属する関連システム構成要素３００を示すブロック図である。構成要素３００は、モバイルデバイスを代表するユーザ端末（ＵＥ）３０２と、携帯電話上でのプッシュツートーク（ＰｏＣ）サーバ３０４と、アクセス３０６と、グループおよびリスト管理サーバ（ＧＬＭＳ）３０８と、ＩＰマルチメディアサブシステム（ＩＭＳ）コア３１２と、プレゼンスサーバ３１０とを含む。これらの構成要素の中には、任意選択または基本動作には必須でないものもある。ＰｏＣアーキテクチャーおよび信号処理は、携帯電話上でのプッシュツートーク（ＰｏＣ）、信号フロー、ＰｏＣリリース１．０―アーキテクチャＶ１．１．０（２００３−０８）技術仕様書、および携帯電話上でのプッシュツートーク（ＰｏＣ）、信号フロー、ＰｏＣリリース１．０―信号フローＶ１．１．３（２００３−０８）技術仕様書などの現在の標準仕様に説明されるように、従来と同様である。
【００３５】
ＰｏＣ通信セッションは、半二重方式で一人ずつ通信を行うセッション「参加者」と呼ばれるＵＥ３０２のエンドユーザ間のセッション接続である。ＰｏＣ通信は、音声情報を運ぶデータパケットの通信を伴うボイスオーバーＩＰ（ＶｏＩＰ）技術である。ＵＥ３０２はＰｏＣアプリケーションクライアントソフトウェアを含む端末装置（例えばモバイルデバイス）であり、これは本出願の機能を含むが、それ以外は従来技術を利用する。ＩＭＳコア３１２は、複数のセッション制御プロトコル（ＳＩＰ）プロキシおよびＳＩＰレジストラを含む。ＵＥ３０２に接触する最初の点は、外部プロキシとしてＵＥ３０２に設定されているＩＭＳコア３１２内のプロキシのひとつである。ＩＭＳアーキテクチャにおいて、外部プロキシはプロキシ呼状態制御機能（Ｐ−ＣＳＣＦ）として知られている。ＩＭＳコア３１２は、以下のような機能を実行する。（１）ＵＥ３０２とＰｏＣサーバ３０４の間のＳＩＰシグナリングのルーティング、（２）ＵＥ３０２からのＳＩＰ圧縮の終了、（３）認証および許可、（４）登録状態およびＳＩＰセッション状態のメンテナンス、（５）賦課制度へのレポートである。ＵＥ３０２は、外部プロキシのＳＩＰ定型資源識別子（ＵＲＩ）を決定した後、全てのＳＩＰメッセージを外部プロキシのＩＰアドレスへ送信する。
【００３６】
エンドユーザはグループ、連絡先リスト、アクセスリストを管理するためにＧＬＭＳ３０８を使用する。連絡先リストは、エンドユーザが他のＰｏＣユーザまたはＰｏＣグループとインスタントトークセッションを確立するために使用するアドレス帳の一種である。エンドユーザは、他のＰｏＣユーザまたはＰｏＣグループのＩＤを含むひとつまたはいくつかの連絡先リストを有することができる。連絡先リスト管理はＵＥ３０２がＧＬＭＳ３０８に位置する連絡先リストを保存し読み出すことを可能にする操作を含む。エンドユーザはＰｏＣグループを指定することができる。エンドユーザは、リストからひとつのグループを選択し、グループの種類に応じて、インスタントグループトークセッションまたはチャットグループトークセッションを開始することができる。アクセスリストは、誰がエンドユーザに対しインスタントトークセッションの開始を許すかを、エンドユーザがコントロールする手段として使用される。アクセスリストは、他のエンドユーザまたはグループのＩＤを定義したエンドユーザを含む。前記エンドユーザは、ひとつのブロックされたＩＤリストとひとつの許可されたＩＤリストを有することができる。
【００３７】
ＰｏＣサーバ３０４はＰｏＣサービスを実行する機能を備える。ＰｏＣサーバ３０４は一般に次のような機能を実行する。（１）ＳＩＰシグナリングのエンドポイント、（２）リアルタイム転送プロトコル（ＲＴＰ）およびＲＴＰ制御プロトコル（ＲＴＣＰ）シグナリングのエンドポイント、（３）ＳＩＰセッション処理、（４）グループにアクセスするためのポリシー制御、（５）グループセッション処理、（６）グループセッション処理、（７）着信拒否機能、（８）操作権制御機能（操作権制御とはＵＥからの発言権要求を調停する制御機構のこと）、（９）話者識別、（１０）参加者情報、（１１）品質フィードバック、（１２）課金レポート、（１３）メディア配信である。プレゼンスサーバ３１０は、プレゼンスユーザ／ネットワーク／外部エージェントによってアップロードされたプレゼンス情報を管理し、プレゼンスに関連する情報多数のソースから単数のプレゼンスドキュメントに受信する情報からの一定のプレゼンティティを組み合わせることに関与する。
【００３８】
ＩｓインターフェースはＵＥ３０２とＩＭＳコア３１２の間の通信をサポートする。この通信は、ＰｏＣ機能をサポートするＳＩＰ処理を含む。Ｉｓインターフェースのためのプロトコルがセッション制御プロトコル（ＳＩＰ）である。Ｉｓシグナリングは、ユーザデータグラムプロトコル（ＵＤＰ）に移動される。Ｉｆインターフェース上のプロトコルは、セッション制御のためＩＭＳコア３１２とＰｏＣサーバ３０４の間の通信をサポートする。Ｉｔインターフェース上のプロトコルは、ＵＥ３０２とＰｏＣサーバ３０４の間のトークバースト、操作権制御およびリンク品質メッセージの移動をサポートする。Ｉｍインターフェース上のプロトコルは、グループ、連絡先リストおよびアクセスリストの管理と着信拒否指示のため、ＵＥ３０２とＧＬＭＳ３０８の間の通信をサポートする。ＨＴＴＰ／ＸＭＬプロトコルはこれらの目的のために使用される。Ｉｋインターフェース上のプロトコルは、ＰｏＣサーバ３０４とＧＬＭＳ３０８の間の通信をサポートし、ＰｏＣサーバ３０４のＧＬＭＳ３０８からのグループおよびアクセスリストを読み出しを可能にする。Ｉｐｓインターフェース上のプロトコルは、ＩＭＳコア３１２からプレゼンスサーバ３１０への登録状態のアップロードおよびプレゼンスサーバ３１０とＵＥ３０２の間でのプレゼンス情報配布を可能にする。Ｉｐｌインターフェース上のプロトコルは、着信拒否状態および許可された／ブロックされたアクセスリストをＧＬＭＳ３０８からプレゼンスサーバ３１０へのアップロードを可能にする。グループＩＤは、ＧＬＭＳ３０８により生じるグループトークのためにＵＥとＩＭＳコアの間のＩｓインターフェース上で使用される。
【００３９】
ＰｏＣシステムにおける各エンティティは、公共または民間のアドレス体系に属するひとつ以上のＩＰアドレスを割り当てられる。一方、エンドユーザは電話番号を使用して別のユーザのアドレス指定を行うことができる。ＵＥ３０２は電話番号を定型資源位置（ＵＲＬ）内のＩＭＳコア３１２へ送る。電話番号は国際Ｅ．１６４形式（先頭に「＋」マークを付ける）または地域内のダイヤル方法と局番を用いるローカルフォーマットを使用することができる。ＩＭＳコア３１２は「＋」で始まる電話番号をＥ．１６４番号であると解釈する。ＰｏＣセッションのためのＴＥＬ  ＵＲＬによるアドレス指定には、ＰｏＣサーバ３０４が例えばＤＮＳ／ＥＮＵＭまたはその他のローカルデータベースを使用してＳＩＰ  ＵＲＬのＴＥＬ  ＵＲＬを決定できることが必要である。ローカルフォーマットの電話番号は、ＤＮＳ／ＥＮＵＭが使用される前にＥ．１６４形式に変更される。
【００４０】
エンドユーザはＰｏＣトークセッションを開始することができる。Ｉｓインターフェース上のＩＮＶＩＴＥ要求は、ＰｏＣサービスを指示するメディアフィーチャータグ付のＡｃｃｅｐｔ−Ｃｏｎｔａｃｔヘッダーを含む。ＩＭＳコア３１２はＡｃｃｅｐｔ−Ｃｏｎｔａｃｔヘッダーを調べることにより、要求をＰｏＣ通信として認識することができる。ＩＮＶＩＴＥ要求ＵＲＩは、事前に設定された特別なＩＤ（例えばインスタントパーソナルトークまたは特別なインスタントグループ）もグループＩＤ（例えばグループトークまたはチャットグループトーク）も含む。初期のセッション確立はＲＥＦＥＲを使用した迅速な接続確立が可能なセッションを行うために用いられる。セッション確立初期のＩＮＶＩＴＥは前述のような電話の相手を有しておらず、これと敵対するするほかの要求とは区別される。一時グループＩＤはＰｏＣサーバ３０４によって生み出され、Ｃｏｎｔａｃｔヘッダー中のＵＥ３０２へ配布される。ＵＥ３０２の開始から、ユーザ招待の一般ユーザＩＤはＦｒｏｍヘッダーに含まれる。招待されたユーザへのシグナリングでは、Ｆｒｏｍヘッダーは一般ユーザＩＤ（インスタントパーソナルトーク、特別なインスタントグループ）もグループＩＤ（インスタントグループトークまたはチャットグループトークに追加されたもの）も含む。
【００４１】
図４は、ワイヤレスネットワーク上の適合する任意のチャネルにあるモバイルデバイス、例えばページングチャネル（ＰＣＨ）のための複数のメッセージスロット４００の説明を図示したものである。複数のメッセージスロット４００は、モバイルデバイスのために、複数の割り当てられたクイックページングチャネル（ＱＰＣＨ）スロット４０１および複数の割り当てられたＱＰＣＨスロット４０２を備える。図４の制限された図はＱＰＣＨスロット４０４およびＱＰＣＨスロット４０８を含む、割り当てられたＱＰＣＨスロット４０１と、ページングスロット４０６および４１０を含むモバイルデバイスに割り当てられたページングスロット４０２を示している。これらのページングスロットは、定期的または周期的であり、定まった時間ごとに分けられている。図４に示される割り当てられたページングスロット４０２の間にある他のページングスロットは全てモバイルデバイスには割り当てられず、モバイルデバイスがスリープモードで動作または他の受信機動作を実行する期間を提供する。
【００４２】
ＩＳ−２０００によって定義されるＣＤＭＡ通信において、クイックページングチャネルは、モバイルデバイスページメッセージが前記モバイルデバイスに割り当て割れた、次のページングスロットの中に存在するかどうか、早く指示を出すために使用される。クイックページングチャネルのページングインジケータは、次のページングスロットと比べると比較的短く、そのため指示がページメッセージが存在しないことを示した場合、前記モバイルデバイスは次の前記ページングスロットを監視する必要はない。明らかなように、クイックページングチャネル指示はモバイルデバイスの省電力を意図したものであり、もはやページ毎に割り当てられた各ページングスロットを常に反復して監視する必要はない。しかしながら、モバイルデバイスがクイックページングチャネルは正確ではない可能性があると判断した場合、前記モバイルデバイスは関連した次のページングスロットを監視し続ける。
【００４３】
前記クイックページングチャネルはオンオフキーイング技術を利用する。比較的多数のモバイルデバイスがネットワーク上で動作している場合、指示の「衝突」が生じてクイックページングチャネル指示の前記モバイルデバイスにおける使用の正確さが損なわれてしまう可能性が高い。これによって、ネットワーク上の全てのモバイルデバイスはより頻繁にページングスロットを監視することが必要となる。つまり、ネットワーク上でクイックページングチャネルを利用するモバイルデバイスが増えるに従い、所定のクイックページングチャネル指示を不正確とならしめる衝突が生じやすくなり、従ってネットワーク上のモバイルデバイスはページングスロットをより監視することが必要となり、結果全ての移動局の電力消費量を増加させる。クイックページングチャネルはモバイルデバイスに対する次のページングスロットをおよそ１００ミリ秒待機するよう定められていることにも留意すべきである。従ってネットワークは、指示を与えた後に前記モバイルデバイスへ実際にページメッセージを送信する前に、１００ミリ秒遅延する必要がある。従って、前記ネットワークが一定のメッセージをモバイルデバイスに送信する時間が増加し、前記モバイルデバイスのための呼確立時間が増加する。従って、ワイヤレスネットワーク内のページメッセージ要求４１２は、図４に示されている時点で受信され、ワイヤレスネットワークは次に割り当てられるページングスロット４０６内に常にページメッセージを提供することはできない。それどころか、ワイヤレスネットワークは、ページメッセージ４１４が割り当てられたページングスロット４１０内に提供されるように、クイックページングチャネルスロット４０８内にクイックページング指示４１４を提供できるまで待機する必要がある。
【００４４】
図５は、モバイルデバイスに関連するクイックページングチャネル（ＱＰＣＨ）終了指示５０４を使用した、モバイルデバイスへのページメッセージ伝達のための図４の複数のメッセージスロット４００の説明を図示したものである。モバイルデバイスに関連したＱＰＣＨ終了指示５０４は、モバイルデバイスのクイックページングチャネル利用を終了させるために、ワイヤレスネットワーク内で使用される。具体的には、ＱＰＣＨ終了指示５０４はモバイルデバイスからワイヤレスネットワークに送られ、モバイルデバイスに割り当てられたＱＰＣＨスロット４０１内にてワイヤレスネットワークにＱＰＣＨ指示をやめるように指示する。ＱＰＣＨ終了指示５０４は二進法表示またはビットフラグと同様に単純であり、「１」＝ＱＰＣＨ利用、「０」＝ＱＰＣＨ利用終了、あるいはより複雑なデータである。
【００４５】
モバイルデバイスが規定の電力供給源と異なる高容量電源を使用する場合、ワイヤレスネットワークにＱＰＣＨ終了指示５０４を送る。ＱＰＣＨ終了指示５０４はワイヤレスネットワークにモバイルデバイスのためのクイックページングチャネル使用を止めるよう指示を出す。高容量電源とは、例えば交流電源コンセントまたは充電装置、充電器、ユニバーサルシリアルバス（ＵＳＢ）経由のコンピュータ電源等が考えられる。このような電源を利用する場合、モバイルデバイスは電力を節約する強い必要性はない。
【００４６】
ワイヤレスネットワークは一旦ページメッセージ要求４１２を受け取れば、次に利用可能なＱＰＣＨスロット（例えばＱＰＣＨスロット４０８）を待つ必要はないため、ワイヤレスネットワークは割り当てられたページングスロット４１４（および図４に戻って、割り当てられていないページングスロット４１０）内にページメッセージ４１４を提供することができる。従って、モバイルデバイスは呼確立時間を減少させることができる。このことはモバイルデバイスがＰＴＴモードで動作していても、ノーマル（ＰＴＴでない）コールモードで動作していても、好都合でありうる。また、ＱＰＣＨページング指示の衝突の可能性がワイヤレスネットワーク内において軽減され、このためネットワーク内の全てのモバイルデバイスについて電力消費量を減少させることができる。
【００４７】
図６は、モバイルデバイスが高容量電源使用に基づくモバイルデバイスのためのクイックページングチャネルの使用終了する方法を説明したフローチャートである。図６の方法はワイヤレスネットワーク内で動作するモバイルデバイスによって実行される（例として図１および２参照）。図１および２に関連して説明したとおり、モバイルデバイスはワイヤレストランシーバと、前記ワイヤレストランシーバに連結するアンテナと、電源インターフェースと、これらの構成要素に連結する１つ以上のプロセッサと、前記方法の作用を実行する動作を備える。また、本出願のコンピュータプログラム製品は記憶媒体（メモリ、フロッピー（登録商標）ディスク、またはＣＤ−ＲＯＭ）に説明した論理に従って書き込まれ、保存されているコンピュータ命令も含むことがある。
【００４８】
図６のスタートブロック６０２から始まり、モバイルデバイスは電源インターフェースの電源において変更が発生したか否かを確認する（図６のステップ６０４）。これは、電源インターフェースを経由して適合する任意の手段を用い、適合する任意の電気信号を検出することによって行われる。モバイルデバイスは電源変更が発生していないかを監視しつづける。ステップ６０４において電源交換が検出された場合には、モバイルデバイスは現在利用中の電源が高容量電源であるかどうか確認を行う（図６のステップ６０６）。高容量電源とは、例えば交流電源コンセントまたは充電装置、充電器、ユニバーサルシリアルバス（ＵＳＢ）経由のコンピュータ電源等が考えられる。ステップ６０６における確認時に電源が高容量電源であった場合には、モバイルデバイスはワイヤレスネットワークに送信するためのクイックページングチャネル終了指示を与える（図６のステップ６０８）。これがワイヤレスネットワークにクイックページングチャネルにおいてモバイルデバイスへのＱＰＣＨページ指示を出さないよう指示する。ステップ６０６における確認時に電源が高容量電源でなかった場合は、モバイルデバイスは現在利用中の電源がバッテリであるのかバッテリパック電源であるのかを確認する（図６のステップ６１０）。ステップ６１０における確認時に、電源がバッテリまたはバッテリパック電源であれば（高容量電源はモバイルデバイスから切断されていることを意味する）、モバイルデバイスはワイヤレスネットワークに送信するためのクイックページングチャネル（再）確立指示を与える（図６のステップ６１２）。これがワイヤレスネットワークにクイックページングチャネルにおいてモバイルデバイスへのＱＰＣＨページ指示を与えるよう指示する。この方法はステップ６０４から繰り返し行われる。
【００４９】
好ましくは、各ＱＰＣＨ指示（終了または確立）は登録に利用されるメッセージ内でモバイルデバイスからワイヤレスネットワークに送信されるのがよい。登録に利用されるメッセージとは、例えばパラメータ変更登録、タイマーベースの登録、または暗黙の登録（例えば開始メッセージ、ページ応答メッセージ等）である。これらの登録に使用される様々な種類の登録およびメッセージは、当分野の普通の技術者には知られており、ＩＳ−２０００およびその改訂版を含む標準規格において十分に立証されている。モバイルデバイスはステップ６０８および６１２において即座に送信される指示を与えることができる。あるいは、ステップ６０８および６１２における指示は、延期または遅延を原則として送信される。
【００５０】
一実施形態では、モバイルデバイスはワイヤレスネットワークにＱＰＣＨ指示とは異なる登録メッセージを送信する追加の必要性また要求が生じるまで待機する。例えば、モバイルデバイスはワイヤレスネットワークへの送信を必要とする異なるパラメータをアップデートするためのパラメータ変更登録まで遅延する。別の例としては、モバイルデバイスはワイヤレスネットワークへの送信を必要とするタイマーベースの登録まで既知の期間遅延する。さらにもうひとつの例としては、モバイルデバイスはワイヤレスネットワークへの送信を必要とする暗黙の登録（例えば開始メッセージまたはページ応答メッセージ等）まで遅延する。このことは、モバイルデバイスがワイヤレスネットワークへの登録に使用されるメッセージを必要以上に送信せず電力を節約している場合に好都合である。
【００５１】
さらに好ましいのは、モバイルデバイスが、登録に使用される別の現在のメッセージ、または登録に使用されると期待もしくは予期されるメッセージ内でＱＰＣＨメッセージを送信することがより効果的かどうかを決定することである。モバイルデバイスは最終的に、より電力を節約できる利点をモバイルデバイスに提供する選択された登録メッセージ内で指示を送信する。例えば、登録に使用されると予測されるメッセージはタイマーベースの登録のために使用することができ、ここで前記タイマーベースの登録を送信するまでの期間がわかる。モバイルデバイスは、登録に使用される別の（現在の）メッセージを送信するか、タイマーベースの登録に関連する期間が過ぎるまで待つか、どちらの動作がもっとも効果的であるかを確認または決定できる。登録に使用される別のメッセージの見積電力消費量は、登録に使用される別のメッセージを送信するための見積電力消費量である。タイマーベースの登録の見積電力消費量は、スロットごと基準にスロットの数を乗じたＱＰＣＨを利用しない期間中の見積電力消費量である。これらの消費見積電力が比較され、最も節約となるひとつが選択される。クイックページングチャネルの有効性は、基地局に関連するモバイルデバイスの位置次第であることにも留意すべきである。モバイルデバイスが比較的基地局の近くに位置する場合、クイックページングチャネルは有効であり、モバイルデバイスが比較的基地局から遠くに位置する場合、クイックページングチャネルの有効性は下がる。さらに、モバイルデバイスが比較的基地局の近くに位置する場合、モバイルデバイスが比較的基地局から遠くに位置する場合に比べて登録に使用される別のメッセージを送信するための電力が抑えられる。モバイルデバイスはこの情報を考慮に入れて、登録に使用される別の現在のメッセージ、または登録に使用されると期待もしくは予期されるメッセージ内でＱＰＣＨメッセージを送信することがより効果的か否かを決定することができる。例えば、クイックページングチャネルのクオリティが悪いと認められた場合、モバイルデバイスは別の現在のメッセージ内に指示を送信するのを止め、予測される登録メッセージを待つことができる。モバイルデバイスは、例えばクイックページングチャネルを送信している基地局のパイロットチャネルの強さに基づいて、クイックページングチャネルのクオリティを判断する。
【００５２】
図７は、モバイルデバイスをＱＰＣＨモニタリングモードに基づいて動作する方法を説明したフローチャートである。重ねて述べると、図７の方法はワイヤレスネットワーク内で動作するモバイルデバイスによって実行される（例として図１〜２参照）。図１〜２に関連して説明したとおり、モバイルデバイスはワイヤレストランシーバと、前記ワイヤレストランシーバに連結するアンテナと、これらの構成要素に連結する１つ以上のプロセッサと、前記方法の作用を実行する動作を備える。また、本出願のコンピュータプログラム製品は記憶媒体（メモリ、フロッピー（登録商標）ディスク、またはＣＤ−ＲＯＭ）に説明した論理に従って書き込まれ、保存されているコンピュータ命令も含むことがある。図７の質疑応答の目的のために、ページングチャネルにおいて監視も情報の受信も行っていない場合、モバイルデバイス自体が「スリープモード」動作（省電力状態）になることにも留意すべきである。
【００５３】
スタートブロック７０２（図７）から始まり、モバイルデバイスはクイックページングチャネル（ＱＰＣＨ）モニタリングモードで動作しているか否かを確認する（図７のステップ７０４）。ワイヤレスネットワークにＱＰＣＨ終了指示を前に提出していれば、モバイルデバイスはＱＰＣＨモニタリングモードで動作している。逆に、ワイヤレスネットワークにＱＰＣＨ確立指示を前に提出していれば、モバイルデバイスはＱＰＣＨモニタリングモードで動作していない。モードは図６に関連して前に説明した方法に基づいて変更可能である。ステップ７０４における確認時にモバイルデバイスがＱＰＣＨモニタリングモードで動作していない場合、クイックページングチャネルの監視を止め、ステップ７１０へ進む。ステップ７０４における確認時にモバイルデバイスがＱＰＣＨモードで動作している場合、モバイルデバイスは次の割り当てられたクイックページングチャネルスロット内の指定された位置を監視する（図７のステップ７０６）。ステップ７０６の後、モバイルデバイスはＱＰＣＨページ指示がクイックページングチャネルにおいて確認されたか否かを確認する（図７のステップ７０８）。ステップ７０８のクイックページングチャネルにおいてＱＰＣＨページ指示が確認された場合、モバイルデバイスはモバイルデバイスに割り当てられた次のページングスロットを監視する（図７のステップ７１０）。ステップ７０８からステップ７１０までの手順は受信の確実性またはクイックページングチャネルの正確さが極めて低い場合に行われる可能性がある（例えば、所定の信頼水準以下の場合）。ステップ７０８においてＱＰＣＨページ指示が確認されない場合、受信の確実性またはクイックページングチャネルの正確さは低くなく、モバイルデバイスは次の割り当てられたページングスロットの監視を止め、ステップ７０４からフローチャートのステップを繰り返す。
【００５４】
ステップ７１０において割り当てられたページングスロット内の情報を監視し受信した後、モバイルデバイスはページングスロット内のページメッセージがモバイルデバイスに向けられているか否か確認する（図７のステップ７１２）。ステップ７１２においてモバイルデバイスに向けられたページメッセージが存在する場合には、モバイルデバイスはページメッセージを処理し、着信コール（音声またはデータコール）またはメッセージ（図７のステップ７１４）の処理を円滑にし、ステップ７０４から当該方法を繰り返す。ステップ７１２においてページメッセージが確認されない場合、モバイルデバイスは着信コールを処理することなくステップ７０４から当該方法を繰り返す。
【００５５】
ここまで、高容量電源使用に基づくクイックページングチャネルの使用を終了する方法および装置について説明してきた。説明に役立つ一実例においては、モバイル通信デバイスは、ワイヤレストランシーバと、前記ワイヤレストランシーバに連結するアンテナと、前記ワイヤレストランシーバに連結する１つ以上のプロセッサと、前記モバイルデバイスに電力を供給するための電源と接続するように適合された電源インターフェースを有する。前記１つ以上のプロセッサは、前記ワイヤレストランシーバを使用しワイヤレス通信ネットワークのクイックページングチャネルを監視し、所定の電源が電源インターフェースに接続されているか否かを確認し、ワイヤレストランシーバを用いて所定の電源（例えば高容量電源）が電源インターフェースに接続されていることの確認に基づきワイヤレスネットワークに送信されるようにクイックページングチャネルの使用を終了するための指示を行い、またワイヤレスネットワークに指示を送信後はワイヤレストランシーバを使用したクイックページングチャネルの監視を行わないよう機能する。
【００５６】
モバイル通信デバイスにおける電源節約の関連手法は、前記モバイルデバイスにおいて、ワイヤレス通信ネットワーク内のパラメータ変更の状態を確認するステップと、登録に使用されると予測されるメッセージが前記ワイヤレスネットワークに送信されるまでの一定期間遅延するステップと、前記登録に使用されると予測されるメッセージ内にパラメータを提供するステップと、前記ワイヤレスネットワークに前記登録に使用されると予測されるメッセージをもたらすステップとを含む。前記登録に使用されると予測されるメッセージは、タイマーベースの登録に使用されるメッセージ、または追加のパラメータを含むワイヤレスネットワークにおいてパラメータ変更に使用されるメッセージであることがある。好ましくは、モバイルデバイスが、登録に使用される現在のメッセージおよび登録に使用されると予測されるメッセージのうちいずれかにおいて、どちらのメッセージが省電力により好都合であるかに基づきパラメータを送信するか否かを決定し、前記登録に使用される現在のメッセージおよび登録に使用されると予測されるメッセージのうち、いずれの中で前記決定の挙動に基づいてパラメータを送信するかを選択するのがよい。前記パラメータは、モバイルデバイスのためのクイックページングチャネル使用を終了するためのクイックページングチャネル終了指示であることがあり、またはこれを含むことができる。パラメータ変更の状況は、モバイルデバイスに所定の電源が連結されているか否かの確認に基づく。このような関連手法は、モバイルデバイスのひとつ以上のプロセッサによって実行されるか、または前述したようにコンピュータプログラム製品において実施され得る。
【００５７】
上記した本出願の実施の形態は、単なる例であることを意図したものである。例えば、ページングチャネル（ＰＣＨ）の使用がここで説明されているが、フォワード共通制御チャネル（ＦＣＣＣＨ）のような類似のチャネルも追加であるいは代替として使用できる。さらに、ここで説明したようなページメッセージの使用は、一般ページメッセージあるいは共通ページメッセージ、またその他同様のメッセージ制御機能等、いくつかの代替方法を含むことができる。当業者は、本出願の範囲を逸脱することなく、特定の実施の形態を変更、修正および変形させることができる。ここで特許請求の範囲を列挙して説明する発明は、技術における全ての適合する変化を対象とし、また包含するものである。
【図面の簡単な説明】
【００５８】
【図１】図１は、モバイル通信デバイスおよびワイヤレス通信ネットワークの関連構成要素を示すブロック図である。
【図２】図２は、図１の好ましいモバイルデバイス、すなわち移動局を示す、より詳細なブロック図である。
【図３】図３は、モバイルデバイスのための「携帯電話上でのプッシュツートーク（ＰＴＴ）」（ＰｏＣ）通信セッションに関連する構成要素を示すブロック図である。
【図４】図４は、モバイルデバイスへのページメッセージ伝達のためのメッセージスロットの説明を図示したものである。
【図５】図５は、クイックページングチャネル終了指示を使用した、モバイルデバイスへのページメッセージ伝達のためのメッセージスロットの説明を図示したものである。
【図６】図６は、モバイルデバイスが高容量電源使用に基づくモバイルデバイスのためのクイックページングチャネルの使用終了する方法を説明したフローチャートである。
【図７】図７は、モバイルデバイスが終了されるクイックページングチャネルモードを使用して動作する方法を説明したフローチャートである。
【図１】
2007527136.tif 000003
【図２】
2007527136.tif 000004
【図３】
2007527136.tif 000005
【図４】
2007527136.tif 000006
【図５】
2007527136.tif 000007
【図６】
2007527136.tif 000008
【図７】
2007527136.tif 000009
【手続補正書】
【提出日】平成18年1月5日(2006.1.5)
【手続補正１】
【補正対象書類名】特許請求の範囲
【補正対象項目名】全文
【補正方法】変更
【補正の内容】
【特許請求の範囲】
【請求項１】
ワイヤレス通信ネットワークのクイックページングチャネルの使用を終了するための方法であって、
モバイル通信デバイスにおいて該ワイヤレスネットワークのクイックページングチャネルを監視するステップと、
所定の電源が該モバイルデバイスに連結されているか否かを確認するステップと、
該所定の電源が該モバイルデバイスに連結されていることの確認に基づいて該ワイヤレスネットワークに送信されるクイックページングチャネルの使用を終了するための指示を与えるステップと
を含む、方法。
【請求項２】
前記ワイヤレスネットワークに前記指示を送信した後、前記クイックページングチャネルの監視を止めるステップをさらに含む、請求項１に記載の方法。
【請求項３】
前記所定の電源が前記モバイルデバイスに連結されていないことの確認に基づいて前記ワイヤレスネットワークに送信される前記クイックページングチャネルの使用を再確立する指示を与えるステップと、
該指示を該ワイヤレスネットワークに送信した後、該クイックページングチャネルを監視するステップと
をさらに含む、請求項１に記載の方法。
【請求項４】
前記指示が、前記モバイルデバイスに割り当てられたクイックページングチャネルスロットにおいて、前記ワイヤレスネットワークにクイックページングチャネル指示を止めるよう指令するためのものである、請求項１に記載の方法。
【請求項５】
登録に使用されるメッセージを前記ワイヤレスネットワークに送信し得るまで遅延させるステップと、
遅延させた後、登録に使用される前記メッセージ内において前記ワイヤレスネットワークに前記指示が送信されるステップとをさらに含む、請求項１に記載の方法。
【請求項６】
登録に使用される現在のメッセージから一定期間の遅延の後、該登録に使用される現在のメッセージおよび前記登録に使用されると予測されるメッセージのうちどちらで前記指示を送信するかを、どちらのメッセージが省電力により好都合であるかに基づき決定するステップと、
前記指示を送信するために、前記現在のメッセージおよび登録を予測されるメッセージのうちひとつを、どちらのメッセージが省電力により好都合であるかに基づき選択するステップとをさらに含む、請求項１に記載の方法。
【請求項７】
前記所定の電源が高容量電源を含む、請求項１に記載の方法。
【請求項８】
前記所定の電源が充電式電源を含む、請求項１に記載の方法。
【請求項９】
前記指示が登録に使用されるメッセージ内で前記ワイヤレスネットワークに送信される、請求項１に記載の方法。
【請求項１０】
前記指示がパラメータ変更登録に使用されるメッセージ内で前記ワイヤレスネットワークに送信される、請求項１に記載の方法。
【請求項１１】
前記指示がタイマーベースの登録に使用されるメッセージ内で前記ワイヤレスネットワークに送信される、請求項１に記載の方法。
【請求項１２】
前記指示が暗黙の登録内で前記ワイヤレスネットワークに送信される、請求項１に記載の方法。
【請求項１３】
コンピュータ読み取り可能媒体と、
該コンピュータ読み取り可能媒体に保存されたコンピュータ命令であって、該命令が、
モバイル通信デバイスにおいてワイヤレス通信ネットワークのクイックページングチャネルを監視するステップと、
所定の電源が該モバイルデバイスに連結されているか否かを確認するステップと、
該所定の電源が該モバイルデバイスに連結されていることの確認に基づいて該ワイヤレスネットワークに送信されるクイックページングチャネルの使用を終了するための指示を与えるステップと
をひとつ以上のプロセッサによって実行可能であるコンピュータ命令と
を備える、コンピュータプログラム製品。
【請求項１４】
前記コンピュータ命令がさらに、前記ワイヤレスネットワークに前記指示を送信した後、前記クイックページングチャネルの監視を止めるステップを実行可能である、請求項１３に記載のコンピュータプログラム製品。
【請求項１５】
前記コンピュータ命令がさらに、
前記所定の電源が前記モバイルデバイスに連結されていないことの確認に基づいて前記ワイヤレスネットワークに送信される前記クイックページングチャネルの使用を再確立する指示を与えるステップと、
該指示を該ワイヤレスネットワークに送信した後、該クイックページングチャネルを監視するステップと
を実行可能である、請求項１３に記載のコンピュータプログラム製品。
【請求項１６】
前記指示が、前記モバイルデバイスのためのクイックページングチャネルにおいて、前記ワイヤレスネットワークにクイックページングチャネル指示を止めるよう指令するためのものである、請求項１３に記載のコンピュータプログラム製品。
【請求項１７】
前記コンピュータ命令がさらに、
登録に使用されるメッセージを前記ワイヤレスネットワークに送信し得るまで遅延するステップと、
遅延の後、前記指示が、登録に使用される該メッセージ内において該ワイヤレスネットワークに送信されるステップと
を実行可能である、請求項１３に記載のコンピュータプログラム製品。
【請求項１８】
前記コンピュータ命令がさらに、
登録に使用される現在のメッセージから一定期間の遅延の後、該登録に使用される現在のメッセージおよび登録に使用されると予測されるメッセージのうちどちらで前記指示を送信するかを、どちらのメッセージが省電力により好都合であるかに基づき決定するステップと、
該指示を送信するための前記登録に使用される現在のメッセージおよび登録に使用されると予測されるメッセージのうちひとつを、どちらのメッセージが省電力により好都合であるかに基づき選択するステップと
を実行可能である、請求項１３に記載のコンピュータプログラム製品。
【請求項１９】
前記所定の電源が高容量電源を含む、請求項１３に記載のコンピュータプログラム製品。
【請求項２０】
前記所定の電源が充電式電源を含む、請求項１３に記載のコンピュータプログラム製品。
【請求項２１】
前記指示が登録に使用されるメッセージ内で前記ワイヤレスネットワークに送信される、請求項１３に記載のコンピュータプログラム製品。
【請求項２２】
前記指示がタイマーベースの登録に使用されるメッセージ内で前記ワイヤレスネットワークに送信される、請求項１０に記載のコンピュータプログラム製品。
【請求項２３】
前記指示がパラメータ変更登録に使用されるメッセージ内で前記ワイヤレスネットワークに送信される、請求項１３に記載のコンピュータプログラム製品。
【請求項２４】
前記指示が暗黙の登録に使用されるメッセージ内で前記ワイヤレスネットワークに送信される、請求項１３に記載のコンピュータプログラム製品。
【請求項２５】
ワイヤレストランシーバと、
該ワイヤレストランシーバに連結するアンテナと、
該ワイヤレストランシーバに連結するひとつ以上のプロセッサと、
電源と接続するように適合された電源インターフェースと
を備え、該ひとつ以上のプロセッサは、
該ワイヤレストランシーバを使用して、ワイヤレス通信ネットワークのクイックページングチャネルを監視し、
所定の電源が該電源インターフェースに連結されているか否かを確認し、
該所定の電源が前記電源インターフェースにおいて連結されていることの確認に基づき、前記ワイヤレストランシーバを用いて該ワイヤレスネットワークに送信されるクイックページングチャネルの使用を終了するための指示を与えるよう動作する、
モバイル通信デバイス。
【請求項２６】
前記ひとつ以上のプロセッサがさらに、前記ワイヤレスネットワークに前記指示を送信した後、前記ワイヤレストランシーバを用いて前記クイックページングチャネルの監視を止めるよう動作する、請求項２５に記載のモバイルデバイス。
【請求項２７】
前記ひとつ以上のプロセッサがさらに、
前記所定の電源が前記モバイルデバイスに連結されていないことの確認に基づき、前記ワイヤレスネットワークに送信される前記クイックページングチャネルの使用を再確立する指示を与え、
該指示を該ワイヤレスネットワークに送信した後、該クイックページングチャネルを監視するよう動作する、請求項２５に記載のモバイルデバイス。
【請求項２８】
前記指示が、前記ワイヤレスネットワークに、前記モバイルデバイスのためのクイックページングチャネルにおいて、クイックページングチャネル指示を止めるよう指令するためのものである、請求項２５に記載のモバイルデバイス。
【請求項２９】
前記ひとつ以上のプロセッサがさらに、
登録に使用されるメッセージを前記ワイヤレスネットワークに送信するまで遅延し、
遅延した後、登録に使用される該メッセージ内において該ワイヤレスネットワークに送信される前記指示を与えるよう動作する、請求項２５に記載のモバイルデバイス。
【請求項３０】
前記ひとつ以上のプロセッサがさらに、
登録に使用される現在のメッセージから一定期間の遅延の後、登録に使用される現在のメッセージおよび登録に使用されると予測されるメッセージのうちどちらで前記指示を送信するかを、どちらのメッセージが省電力により好都合であるかに基づき決定し、
前記指示を送信するための前記登録に使用される現在のメッセージおよび登録に使用されると予測されるメッセージのうちひとつを、どちらのメッセージが省電力により好都合であるかに基づき選択するよう動作する、請求項２５に記載のモバイルデバイス。
【請求項３１】
前記所定の電源が高容量電源を含む、請求項２５に記載のモバイルデバイス。
【請求項３２】
前記所定の電源が充電式電源を含む、請求項２５に記載のモバイルデバイス。
【請求項３３】
前記指示が登録に使用されるメッセージ内で前記ワイヤレスネットワークに送信される、請求項２５に記載のモバイルデバイス。
【請求項３４】
前記指示がタイマーベースの登録に使用されるメッセージ内で前記ワイヤレスネットワークに送信される、請求項２５に記載のモバイルデバイス。
【請求項３５】
前記指示がパラメータ変更登録に使用されるメッセージ内で前記ワイヤレスネットワークに送信される、請求項２５に記載のモバイルデバイス。
【請求項３６】
前記指示が暗黙の登録に使用されるメッセージ内で前記ワイヤレスネットワークに送信される、請求項２５に記載のモバイルデバイス。
【請求項３７】
前記クイックページングチャネルが、前記モバイルデバイスのためのページメッセージが前記モバイルデバイスに割り当てられた次のページングスロット内に含まれていることを示すものである、請求項２５に記載のモバイルデバイス。
【請求項３８】
モバイル通信デバイスにおける電源節約の方法であって、
前記モバイルデバイスにおいて、ワイヤレス通信ネットワーク内のパラメータ変更の状態を確認するステップと、
登録に使用されると予測されるメッセージが該ワイヤレスネットワークに送信されるまでの一定期間遅延するステップと、
登録に使用されると予測されるメッセージ内にパラメータを提供するステップと、
該ワイヤレスネットワークに伝送され、登録に使用されると予測されるメッセージをもたらすステップと、
を含む方法。
【請求項３９】
前記パラメータが、前記モバイルデバイスのためのクイックページングチャネルの使用を終了するクイックページングチャネル終了指示を含む、請求項３８に記載の方法。
【請求項４０】
前記登録に使用されると予測されるメッセージがタイマーベースの登録に使用されるメッセージを含む、請求項３８に記載の方法。
【請求項４１】
前記登録に使用されると予測されるメッセージが前記ワイヤレスネットワークにおけるパラメータ変更に使用されるメッセージを含む、請求項３８に記載の方法。
【請求項４２】
前記登録に使用されると予測されるメッセージが前記ワイヤレスネットワークにおけるパラメータ変更のための追加のパラメータを含む、請求項３８に記載の方法。
【請求項４３】
所定の電源が前記モバイルデバイスに連結されているか否かを確認するステップをさらに含み、
前記パラメータを変更するための状態を確認する挙動が、前記所定の電源が前記モバイルデバイスに連結しているか否かの確認に基づく、請求項３８に記載の方法。
【請求項４４】
登録に使用される現在のメッセージおよび前記登録に使用されると予測されるメッセージのうちいずれかにおいて、どちらのメッセージが省電力により好都合であるかに基づき前記パラメータを送信するか否かを決定するステップと、
該登録に使用される現在のメッセージおよび該登録に使用されると予測されるメッセージのうち、いずれの中で前記決定する挙動に基づき前記パラメータを送信するかを選択するステップと
をさらに含む、請求項３８に記載の方法。
【国際調査報告】
2007527136.tif 000010
2007527136.tif 000011